(57)【要約】【課題】センサー押圧手段として、圧力センサーの施工の邪魔にならないようにした防犯センサーを提供する。【解決手段】バルコニーの腰壁１等の頂部分の圧力センサー８を覆うセンサー笠木５が設けられ、このセンサー笠木４が荷重で押し下げられたときに、圧力センサー８を押圧するようになった防犯センサーであって、圧力センサー８は、バルコニーの腰壁１等の頂部分のセンサー保持具７に上方から嵌め込んで保持されるとともに、この圧力センサー８を押圧するセンサー押圧材９は、弾性体で成形されて、圧力センサー８に上方から対向する押圧基部９ａと、バルコニーの腰壁１等の頂部分に固定される固定部９ｂと、この固定部９ｂと押圧基部９ａとを連結する可撓性の連結部９ｃとで形成されている。【選択図】図４
2008176354.tif 000002
【特許請求の範囲】
【請求項１】
バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、
前記圧力センサーは、バルコニーの腰壁等の頂部分のセンサー保持具に上方から嵌め込んで保持されるとともに、この圧力センサーを押圧するセンサー押圧材は、弾性体で成形されて、圧力センサーに上方から対向する押圧基部と、バルコニーの腰壁等の頂部分に固定される固定部と、この固定部と押圧基部とを連結する可撓性の連結部とで形成されていることを特徴とする防犯センサー。
【請求項２】
前記押圧基部の押圧面には、ケーブル状の圧力センサーと直交する方向に延在する断面半円状の押圧突起が圧力センサーの長手方向に一対形成されていることを特徴とする請求項１に記載の防犯センサー。
【発明の詳細な説明】
【技術分野】
【０００１】
本発明は、バルコニーの腰壁、フェンス、塀等の頂部分に設ける防犯センサーに関する。
【背景技術】
【０００２】
従来、バルコニーの腰壁等の頂部分を乗り越えて不審者が侵入するのを防止する防犯センサーが知られている。これらは、主に赤外線センサー、超音波センサー、静電容量検知センサー、磁気センサーを用いて不審者の侵入を検知するもの、あるいはカメラ等の撮像的監視モニターで監視して侵入を検知するものである（例えば特許文献１，２を参照）。
【０００３】
このような防犯センサーにおいては、猫や鳥等の小動物が侵入しても不審者が侵入した場合とほぼ同様に検知して、不審者が侵入していないにもかかわらず不審者が侵入したと誤検知することが多く、検知精度を上げようとすると、構造が複雑化し部品点数が増加してコスト高になる。また、カメラ等を設ける場合には、バルコニーの腰壁等に対する収まりが悪くて一体感が無く、外観性を損ねる。
【０００４】
そこで、本出願人は、バルコニーの腰壁の頂部分に設けられた圧力センサーを覆うセンサー笠木を設けて、このセンサー笠木に手等を掛けて乗り越えようとする不審者の荷重（体重）によって、センサー笠木が押し下げられたときに、圧力センサーを押圧するようになった防犯センサーを先に提案した。
【０００５】
これによれば、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁等の頂部分に設ける手摺りとの収まりが良くなって一体感が有り、外観性が向上するようになる。
【特許文献１】特開２００１−１５３９６４号公報
【特許文献２】特開２００２−１５３８０号公報
【発明の開示】
【発明が解決しようとする課題】
【０００６】
しかしながら、本出願人の提案にかかる防犯センサーにおいては、圧力センサーを押圧するセンサー押圧手段に関して改善すべき要望があった。
【０００７】
本発明は、前記要望に応えるためになされたもので、センサー押圧手段として、圧力センサーの施工の邪魔にならないようにした防犯センサーを提供することを目的とするものである。
【課題を解決するための手段】
【０００８】
前記課題を解決するために、本発明は、バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、前記圧力センサーは、バルコニーの腰壁等の頂部分のセンサー保持具に上方から嵌め込んで保持されるとともに、この圧力センサーを押圧するセンサー押圧材は、弾性体で成形されて、圧力センサーに上方から対向する押圧基部と、バルコニーの腰壁等の頂部分に固定される固定部と、この固定部と押圧基部とを連結する可撓性の連結部とで形成されていることを特徴とする防犯センサーを提供するものである。
【０００９】
請求項２のように、前記押圧基部の押圧面には、ケーブル状の圧力センサーと直交する方向に延在する断面半円状の押圧突起が圧力センサーの長手方向に一対形成されていることが好ましい。
【発明の効果】
【００１０】
本発明によれば、センサー押圧材は、連結部を撓ませながら押圧基部を指で持ち上げると、押圧基部をセンサー保持具の上方から退避させることができ、この状態で圧力センサーをセンサー保持具に嵌め込むことができるようになる。その後に押圧基部から指を離すと、連結部の弾力で押圧基部が圧力センサーの上方に自動的に復帰するようになる。このように、センサー押圧材を予めバルコニーの腰壁等の頂部分に固定した状態であっても、後付けで圧力センサーを簡単にセンサー保持具に保持できるようになるので、圧力センサーの施工性が向上するようになる。
【００１１】
請求項２によれば、圧力センサーの押圧突起は、ケーブル状の圧力センサーと直交する方向に延在し、圧力センサーの長手方向に一対形成しているので、施工時に圧力センサーとの組み付け位置が多少ずれたとしても、押圧突起で圧力センサーを常に正確に押圧することができるとともに、押圧突起は断面半円状であるので、押圧力が頂部に集中して、圧力センサーに押圧力を集中して作用させることができる。
【発明を実施するための最良の形態】
【００１２】
以下、本発明を実施するための最良の形態について、図面を参照しながら詳細に説明する。
【００１３】
図１はバルコニーの要部斜視図、図２は図１の要部拡大断面図であり、腰壁１の頂部分（上端部分）には、腰壁１に沿った手摺り２が設けられ、この手摺り２は、腰壁１の頂部分に立てられた複数個の支柱３でほぼ水平状態に支持されている。手摺り２は、例えばアルミニューム製であり、略横長楕円形の断面形状に形成されている。なお、手摺り２は、住宅の施工時に取付けられた既設のものであっても良い。
【００１４】
手摺り２には、センサー笠木５が上方から被せられている。センサー笠木５は、例えばアルミニューム製の押し出し型材であり、略逆Ｕ形の断面形状に形成されている。
【００１５】
手摺り２の上部には、図３（ａ）（ｂ）にも示すように、手摺り２よりもやや広い幅で長手方向に延在するベース材６が配置され、ベース材６は、幅方向の中央下面部分が手摺り２の上面に宛われて、ねじ等で手摺り２に固定されるようになる。ベース材６は、例えばアルミニューム製の押し出し型材である。
【００１６】
ベース材６の幅方向の中央上面部分には、長手方向に延在する凹部６ａが形成されるとともに、その両側には、長手方向に延在するフラット部６ｂがそれぞれ形成されている。凹部６ａには、ベース材６の長手方向に沿ってゴムやエラストマーのような軟質合成樹脂製のセンサー保持具７の下部が嵌め込まれ、このセンサー保持具７の両側の窪み７ａに凹部６ａの両側のフック６ｄが係合することで、センサー保持具７が凹部６ａに固定されるようになる。
【００１７】
センサー保持具７の上部には、ケーブル状の圧力センサー８を上方から嵌め込んだときに、その弾力で保持するための凹部７ｂが形成され、圧力センサー８は、ベース材６の長手方向に配置されたセンサー保持具７に跨って、一連に嵌め込まれている。
【００１８】
圧力センサー８は、表面に押圧力（荷重）が作用したときに、その部分が歪むことで、押圧力（荷重）に比例した電圧が誘起されるものである。
【００１９】
センサー保持具７で保持された圧力センサー８を押圧するセンサー押圧材９は、ゴムやエラストマーのような弾性体で成形されて、図４（ａ）〜（ｃ）に詳細に示すように、圧力センサー８に上方から対向する押圧基部９ａと、ベース材６のフラット部６ｂにねじ１８で固定される固定部９ｂと、この固定部９ｂと押圧基部９ａとを連結する可撓性の連結部９ｃとで形成されて、押圧基部９ａの押圧面には、圧力センサー８と直交する方向に延在する断面半円状の押圧突起９ｄが圧力センサー８の長手方向に一対形成されている。
【００２０】
このセンサー押圧材９は、図４（ｄ）のように、連結部９ｃを撓ませながら押圧基部９ａを指で持ち上げると、押圧基部９ａをセンサー保持具７の上方から退避させることができ（二点鎖線参照）、この状態で圧力センサー８をセンサー保持具７に嵌め込み、その後に押圧基部９ａから指を離すと、連結部９ｃの弾力で押圧基部９ａが圧力センサー８の上方に自動的に復帰するようになる。
【００２１】
連結部９ｃの弾力は、押圧基部９ａが圧力センサー８の上方に自動的に復帰する程度に設定されているので、押圧突起９ｄが圧力センサー８に接触してもその部分が歪んで電圧が誘起されるおそれはない。
【００２２】
ベース材６の両側のフラット部６ｂには、ベース材６の長手方向に所定の間隔を隔てて、センサー笠木５の長手方向に延在する板ばね材１１が取付けられている。この板ばね材１１は、両側のフラット部６ｂに左右一対で取付けても良いが、センサー押圧材９の取付け位置にほぼ対応させて、左右交互に千鳥状に、つまり、圧力センサー８に対していずれかの側にオフセットさせて取付けても良い。板ばね材１１は、フラットな両端部１１ａにねじ用孔が形成されて、このねじ用孔を利用して、バルコニーの腰壁１等の頂部分であるベース材６にねじ１７〔図４（ａ）参照〕で取付けるようにしている。
【００２３】
また、センサー笠木５の下面に当接する凸部１１ｃが長手方向の中間部に形成され、この凸部１１ｃの両側に凹部１１ｄがそれぞれ形成されて、この凹部１１ｄは、センサー笠木５の押し下げストローク分だけ、板ばね材１１のベース材６の上面（取付け面）よりも上方に浮かせている。
【００２４】
この板ばね材１１の付勢力によって、センサー笠木５が上方に持ち上げられるようになり、センサー笠木５が板ばね材１１の持ち上げ力（付勢力）に抗して、荷重で押し下げられたときに、センサー押圧材９の押圧基部９ａが下方に変位して圧力センサー８を押圧するようになる。
【００２５】
ベース材６の両端部には、下向きの係止爪６ｄが形成される一方、センサー笠木５の内面の両側には、ベース材６の係止爪６ｄに上方から無理嵌めするとともに、センサー笠木５の押し下げストロークを許容する係止溝５ａが形成されている。これにより、センサー笠木５は、ベース材６に対して、押し下げ・持ち上げ可能に取付けられることになる。
【００２６】
図１のように、腰壁１の端部分に位置するベース材６には、圧力センサー８の端部が接続される検知回路ブロック１３が取付けられるとともに、この付近の腰壁１の内面には、商用電源ＡＣが接続された報知ユニットボックス１４が取付けられて、検知回路ブロック１３の信号線１５が報知ユニットボックス１４に接続されている。
【００２７】
そして、センサー笠木５に手等を掛けて乗り越えようとする不審者の荷重（体重）によって、センサー笠木５が板ばね材１１の持ち上げ力（付勢力）に抗して押し下げられたときに、センサー押圧材９で圧力センサー８が押圧されることで、圧力センサー８には、押圧力（荷重）に比例した電圧が誘起され、この誘起電圧が検知回路ブロック１３で検知されて、例えば２０Ｋｇ以上の荷重（体重）であれば不審者が侵入したと判定して、報知ユニットボックス１４から警報音等を報知するようになる。
【００２８】
また、猫や鳥等の軽量な小動物がセンサー笠木５に乗りかかって、センサー笠木５が板ばね材１１の持ち上げ力（付勢力）に抗して押し下げられたとしても、圧力センサー８の誘起電圧が検知回路ブロック１３で検知されて、例えば数１０ｇから数Ｋｇの荷重（体重）であれば不審者が侵入していないと判定して、報知ユニットボックス１４から警報音等を報知しないようになる。
【００２９】
このように、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁１等の頂部分に設ける手摺り２との収まりが良くなって一体感が有り、外観性が向上するようになる。
【００３０】
また、固定部９ｂをベース材６（バルコニーの腰壁１等の頂部分に相当）にねじ１８で予め固定したセンサー押圧材９は、連結部９ｃを撓ませながら押圧基部９ａを指で持ち上げると、押圧基部９ａをセンサー保持具７の上方から退避させることができ、この状態で圧力センサー８をセンサー保持具７に嵌め込むことができるようになる。その後に押圧基部９ａから指を離すと、連結部９ｃの弾力で押圧基部９ａが圧力センサー８の上方に自動的に復帰するようになる。このように、センサー押圧材９を予めベース材６（バルコニーの腰壁１等の頂部分に相当）に固定した状態であっても、後付けで圧力センサー８を簡単にセンサー保持具７に保持できるようになるので、圧力センサー８の施工性が向上するようになる。
【００３１】
また、センサー押圧材９の押圧突起９ｄは、ケーブル状の圧力センサー８と直交する方向に延在し、圧力センサー８の長手方向に一対形成しているので、施工時に圧力センサー８との組み付け位置が多少ずれたとしても、押圧突起９ｄで圧力センサー８を常に正確に押圧することができるとともに、押圧突起９ｄは断面半円状であるので、押圧力が頂部に集中して、圧力センサー８に押圧力を集中して作用させることができる。
【００３２】
前記実施形態は、バルコニーの腰壁１の頂部分にセンサー笠木５が設けられたものであったが、フェンスや塀等の頂部分にセンサー笠木５が設けられたものであっても良い。
【図面の簡単な説明】
【００３３】
【図１】本発明の実施形態に係る手摺りを備えたバルコニーの要部斜視図である。
【図２】図１の要部拡大断面図である。
【図３】センサー笠木を取り外した手摺りであり、（ａ）は斜視図、（ｂ）は（ａ）の要部拡大斜視図である。
【図４】（ａ）は板ばね材とセンサー押圧材の斜視図、（ｂ）はセンサー押圧材を上面側から見た斜視図、（ｃ）はセンサー押圧材を下面側から見た斜視図、（ｄ）はセンサー押圧材の側面図である。
【符号の説明】
【００３４】
１      腰壁
２      手摺り
５      センサー笠木
６      ベース材
７      センサー保持具
８      圧力センサー
９      センサー押圧材
９ａ  押圧基部
９ｂ  固定部
９ｃ  連結部
９ｄ  押圧突起
１１    板ばね材
【図１】
2008176354.tif 000003
【図２】
2008176354.tif 000004
【図３】
2008176354.tif 000005
【図４】
2008176354.tif 000006